(57)【要約】      （修正有）【課題】電子部品の製造や実装工程における導電性ペースト印刷に用いられるスクリーン印刷版について、工程管理の効率化と印刷品質の向上のために、使用状況と保管状況の管理をするための装置とシステムを提供する。【解決手段】スクリーン印刷版管理装置１は、読取部で金属枠、印刷機２２、保管棚２４に形成された二次元コードを読み取り、情報を解析することで、スクリーン印刷版２１の仕様や製造情報等を得ることができ、検知部でスキージＳＱの滑動回数を検知することで、印刷回数を計測することができる。スクリーン印刷版２１の情報と印刷回数は、インターネットを介してデータサーバＤＢに送信・記憶されるとともに、使用者の所持する電子端末２３に送信される。【選択図】図４
2020028998.tif 000002
【特許請求の範囲】
【請求項１】
電子部品の製造や実装工程において、はんだ等の導電性ペーストの印刷に用いられるスクリーン印刷版の保管と使用を管理するための装置であって、
二次元コードを読取るための読取部と、
前記スクリーン印刷版上におけるスキージの滑動を光学的・磁気的信号により検知するための検知部と、
外部通信機器と電気的通信をするための通信部と、
所定の情報を電気的に表示するための表示部と、
前記読取部で読み取った画像及び前記検知部で取得した信号を処理して、前記二次元コードに係る情報及び前記スクリーン印刷版の印刷回数を取得する処理手段と、前記処理手段で処理した結果を電気的に記憶する記憶手段と、を有する制御部と、
前記制御部を操作するためのスイッチ類と、
を備えることを特徴とする、スクリーン印刷版管理装置。
【請求項２】
ひずみゲージと、前記ひずみゲージに電気的に接続されたケーブル状の一対の配線と、前記配線の反ひずみゲージ側の端に電気的に接続された着脱手段と、を有するひずみ計測手段を備え、
前記ひずみ計測手段は、前記着脱手段により、電気的に着脱自在に前記制御部に接続され、
前記処理手段は、前記ひずみ計測手段より送られた電気的信号から、前記孔版のひずみデータを計測する、
ことを特徴とする、請求項１に記載のスクリーン印刷版管理装置。
【請求項３】
電子部品の製造や実装工程において、はんだ等の導電性ペーストの印刷に用いられるスクリーン印刷版の保管と使用を管理するシステムであって、
金属枠に孔版がスクリーンを介して張設されたスクリーン印刷版と、
前記金属枠に形成され、前記スクリーン印刷版の識別記号、仕様、製造情報が記録された、第一の二次元コードと、
印刷機、スキージ、導電性ペースト等のスクリーン印刷に供される印刷設備と、
請求項１に記載のスクリーン印刷版管理装置と、
前記スクリーン印刷版管理装置と通信自在に接続され、データの送受信・記憶をする記憶装置と、
前記スクリーン印刷版管理装置及び前記記憶装置と、通信自在に接続され、情報処理、表示及び通信、変更及び保存を行う電子端末と、を備え、
前記スクリーン印刷版管理装置は、前記印刷回数のデータを前記記憶装置に所定のタイミングで送信し、
前記記憶装置は、前記スクリーン印刷版管理装置から受信し、記憶した情報を、所定の条件の下に前記電子端末に送信し、
前記電子端末は、前記記憶装置から受信した情報を表示する、
ことを特徴とする、スクリーン印刷版管理システム。
【請求項４】
電子部品の製造や実装工程において、はんだ等の導電性ペーストの印刷に用いられるスクリーン印刷版の保管と使用を管理するシステムであって、
金属枠に孔版がスクリーンを介して張設されたスクリーン印刷版と、
前記金属枠に形成され、前記スクリーン印刷版の識別記号、仕様、製造情報が記録された、第一の二次元コードと、
印刷機、スキージ、導電性ペースト等のスクリーン印刷に供される印刷設備と、
請求項２に記載のスクリーン印刷版管理装置と、
前記スクリーン印刷版管理装置と通信自在に接続され、データの送受信・記憶をする記憶装置と、
前記スクリーン印刷版管理装置及び前記記憶装置と、通信自在に接続され、情報処理、表示及び通信、変更及び保存を行う電子端末と、を備え、
前記ひずみゲージは、前記孔版のスキージ面の、スキージ滑動範囲外に設置され、
前記スクリーン印刷版管理装置は、前記印刷回数のデータ及び前記ひずみデータを前記記憶装置にそれぞれ所定のタイミングで送信し、
前記記憶装置は、前記スクリーン印刷版管理装置から受信し、記憶した情報を、所定の条件の下に前記電子端末に送信し、
前記電子端末は、前記記憶装置から受信した情報を表示する、
ことを特徴とする、スクリーン印刷版管理システム。
【請求項５】
前記印刷機に形成され、その識別番号、設置場所が記録された第二の二次元コードを備え、
前記スクリーン印刷版管理装置は、前記第二の二次元コードを読み取り、
前記印刷機の識別番号、設置場所に係る情報を、前記記憶装置に送信する、
ことを特徴とする、請求項３または４のいずれか１項に記載のスクリーン印刷版管理システム。
【請求項６】
前記スクリーン印刷版を保管する設備であって、該設備・該設備における保管位置ごとに、該設備の識別番号・該設備における保管位置の識別記号が記録された第三の二次元コードが形成された、保管設備を備え、
前記スクリーン印刷版管理装置は、前記第三の二次元コードを読み取り、該設備の識別番号・該設備における保管位置の識別記号に係る情報を、前記記憶装置に送信すること、
を特徴とする、請求項３から５の何れか１項に記載のスクリーン印刷版管理システム。
【発明の詳細な説明】
【技術分野】
【０００１】
本発明は、電子部品の製造や実装工程において、はんだ等の導電性ペーストの印刷プロセスに用いられるスクリーン印刷版の保管と使用のための管理装置と管理システムに関するものである。
【背景技術】
【０００２】
電子部品の製造や実装においては、プリント配線板等のワークの所定の場所に形成された電極上に導電性ペーストを印刷するために、金属製の枠の内側に、ポリエルテルメッシュを介してメタルマスクとよばれる金属製の孔版を張設した、スクリーン印刷版が広く用いられている。
【０００３】
ここで、製造する部品や製品ごとに導電性ペーストの印刷パターンが異なるため、昨今の多品種少量生産の時流においては、スクリーン印刷版も、製造する部品や製品の機種ごとに異なる設計のものを用意しなくてはならない。そして製品の多品種化に伴いスクリーン印刷版の種類が増加する場合において、スクリーン印刷版の管理（特に版ごと仕様の区別、使用状況、及び保管状況）が工程管理、品質の安定、コスト削減、及び作業効率の観点から、使用者にとって軽視できない問題となってきている。
【０００４】
スクリーン印刷版の管理は、従来主に製造時に金属枠に貼付されたラベルに記載された識別番号から、別途記録されたスクリーン印刷版のリストから、その作成日や仕様を確認する、という程度のものであった。また、コンピュータプログラムやデータベース等の情報技術をスクリーン印刷版の保管管理に活用することで、保管の効率を向上させる試みもあった（例えば、特許文献１参照）。
【０００５】
しかしながら、これら従来の管理方法では、使用者が知り得るのは飽くまでスクリーン印刷版の製造時の情報や、在庫の有無ということに限定されており、使用後の累計の印刷回数や、連続印刷（所定時間または所定回数連続して印刷を繰り返すことをいう。以下同じ）中のリアルタイムでの状況、具体的な保管場所までは管理されていないため、再使用時に膨大な数のメタルマスクの中から、目的のものを探すことが困難である場合が多かった。さらに使用状況が管理されておらず、連続印刷中に現在の状況についてリアルタイムで情報を得ることができなかったので、スクリーン印刷版が破損したり劣化したりしても、使用者はリアルタイムでこれを把握することができず、工程効率や印刷品質を下げる要因となっていた。
【先行技術文献】
【特許文献】
【０００６】
【特許文献１】特開２００６−１０３１３３
【発明の概要】
【発明が解決しようとする課題】
【０００７】
この発明の目的は、上記事情に鑑み、連続印刷プロセスに供されるスクリーン印刷版の使用や保管に対して、正確で有益な情報をタイムリーに得られるスクリーン印刷版管理装置と、スクリーン印刷版管理システムを提供することである。
【課題を解決するための手段】
【０００８】
上記の目的を達成するために、請求項１に記載の発明は、電子部品の製造や実装工程において、はんだ等の導電性ペーストの印刷に用いられるスクリーン印刷版の保管と使用を管理するための、スクリーン印刷版管理装置であって、二次元コードを読取るための読取部と、前記スクリーン印刷版上におけるスキージの滑動を光学的・磁気的信号により検知するための検知部と、外部通信機器と電気的通信をするための通信部と、所定の情報を電気的に表示するための表示部と、前記読取部と前記検知部を作動させるとともに、前記読取部で読み取った画像及び前記検知部で取得した信号を処理して、前記二次元コードに係る情報及び前記スクリーン印刷版の印刷回数を計測する処理手段と、前記処理手段で処理した結果を電気的に記憶する記憶手段と、を有する制御部と、前記制御部を操作するためのスイッチ類と、を備えることを特徴とする。
請求項２に記載の発明は、請求項１に記載のスクリーン印刷版管理装置であって、ひずみゲージと、前記ひずみゲージに電気的に接続されたケーブル状の一対の配線と、前記配線の反ひずみゲージ側の端に電気的に接続された着脱手段と、を有するひずみ計測手段を備え、前記ひずみ計測手段は、前記着脱手段により、電気的に着脱自在に前記制御部に接続され、前記処理手段は、前記ひずみ計測手段より送られた電気的信号から、前記孔版のひずみデータを計測する、ことを特徴とする。
請求項３に記載の発明は、電子部品の製造や実装工程において、はんだ等の導電性ペーストの印刷に用いられるスクリーン印刷版の保管と使用を管理するシステムであって、金属枠に孔版がスクリーンを介して張設されたスクリーン印刷版と、前記金属枠に形成され、前記スクリーン印刷版の識別記号、仕様、製造情報が記録された、第一の二次元コードと、印刷機、スキージ、導電性ペースト等のスクリーン印刷に供される印刷設備と、請求項１に記載のスクリーン印刷版管理装置と、前記スクリーン印刷版管理装置と通信自在に接続され、データの送受信・記憶をする記憶装置と、前記スクリーン印刷版管理装置及び前記記憶装置と、通信自在に接続され、情報処理、表示及び通信、変更及び保存を行う電子端末と、を備え、前記スクリーン印刷版管理装置は、前記印刷回数のデータを前記記憶装置に所定のタイミングで送信し、前記記憶装置は、前記スクリーン印刷版管理装置から受信し、記憶した情報を、所定の条件の下に前記電子端末に送信し、前記電子端末は、前記記憶装置から受信した情報を表示する、ことを特徴とする。
請求項４に記載の発明は、電子部品の製造や実装工程において、はんだ等の導電性ペーストの印刷に用いられるスクリーン印刷版の保管と使用を管理するシステムであって、金属枠に孔版がスクリーンを介して張設されたスクリーン印刷版と、前記金属枠に形成され、前記スクリーン印刷版の識別記号、仕様、製造情報が記録された、第一の二次元コードと、印刷機、スキージ、導電性ペースト等のスクリーン印刷に供される印刷設備と、請求項２に記載のスクリーン印刷版管理装置と、前記スクリーン印刷版管理装置と通信自在に接続され、データの送受信・記憶をする記憶装置と、前記スクリーン印刷版管理装置及び前記記憶装置と、通信自在に接続され、情報処理、表示及び通信、変更及び保存を行う電子端末と、を備え、前記ひずみゲージは、前記孔版のスキージ面の、スキージ滑動範囲外に設置され、前記スクリーン印刷版管理装置は、前記印刷回数のデータ及び前記ひずみデータを前記記憶装置にそれぞれ所定のタイミングで送信し、前記記憶装置は、前記スクリーン印刷版管理装置から受信し、記憶した情報を、所定の条件の下に前記電子端末に送信し、前記電子端末は、前記記憶装置から受信した情報を表示する、ことを特徴とする。
請求項５に記載の発明は、請求項３または４のいずれか１項に記載のスクリーン印刷版管理システムであって、前記印刷機に形成され、その識別番号、設置場所が記録された第二の二次元コードを備え、前記スクリーン印刷版管理装置は、前記第二の二次元コードを読み取り、前記印刷機の識別番号、設置場所に係る情報を、前記記憶装置に送信する、ことを特徴とする。
請求項６に記載の発明は、請求項３から５の何れか１項に記載のスクリーン印刷版管理システムであって、前記スクリーン印刷版を保管する設備であって、該設備・該設備における保管位置ごとに、該設備の識別番号・該設備における保管位置の識別記号が記録された第三の二次元コードが形成された、保管設備を備え、前記スクリーン印刷版管理装置は、前記第三の二次元コードを読み取り、該設備の識別番号・該設備における保管位置の識別記号に係る情報を、前記記憶装置に送信すること、
を特徴とする。
【発明の効果】
【０００９】
請求項１、３の発明によれば、使用者の電子端末に、スクリーン印刷版管理装置からネットワークと記憶装置を介して、所定のタイミングで印刷中のスクリーン印刷版の印刷に関する情報が送られてくるので、使用者は連続印刷中に随時印刷状況を確認することができ、効率的な工程管理が可能となる。また、記憶装置には過去の印刷に関する情報が記憶されているので、印刷履歴、累計の印刷回数及び推定の残り印刷可能回数等を知ることが可能となり、工程管理、品質の安定、コスト削減、及び作業効率の向上が可能となる。
【００１０】
請求項２、４の発明によれば、使用者の電子端末に、スクリーン印刷版管理装置からネットワークと記憶装置を介して、所定のタイミングでスクリーン印刷版の孔版のひずみに係る情報が送られてくるので、使用者は連続印刷中に随時スクリーン印刷版の張力の変化を知ることができる、孔版が連続印刷中に損壊や枠から剥離したような場合に即座に知ることが可能となる。また、記憶装置には過去のひずみ計測に関する情報が記憶されているので、張力の変化履歴、推定の残り印刷可能回数等を知ることが可能となり、さらに工程管理、品質の安定、コスト削減、及び作業効率の向上が可能となる。
【００１１】
請求項５の発明によれば、使用者の電子端末に、スクリーン印刷版管理装置からネットワークと記憶装置を介して、印刷機に関する情報が送られてくるので、使用者はどの印刷機を連続印刷に使用しているかを知ることが可能となる。また、連続印刷中にスクリーン印刷版の印刷に関する情報やひずみ計測に関する情報が使用者に送られる際に、使用中の印刷機と関連して情報が届けられるので、より効率的な工程管理が可能となり、さらに品質の安定、コスト削減、及び作業効率の向上が可能となる。
【００１２】
請求項６に記載の発明によれば、使用者の電子端末に、スクリーン印刷版管理装置からネットワークと記憶装置を介して、保管設備に関する情報が送られてくるので、使用者はどの保管設備を使用しているかを知ることが可能となる。また、記憶装置には、保管設備に関する情報が記憶されているので、次回スクリーン印刷版を使用するときに容易に検索することができ、これにより工程管理、品質の安定、コスト削減、及び作業効率の向上が可能となる。
【図面の簡単な説明】
【００１３】
【図１】本発明の実施の形態１に係る、スクリーン印刷版管理装置の概略構成ブロック図である。
【図２】本発明の実施の形態１に係る、スクリーン印刷版管理装置の概略外観図である。
【図３】本発明の実施の形態１に係る、スクリーン印刷版管理装置の概略の使用形態図である。
【図４】本発明の実施の形態１に係る、スクリーン印刷版管理システムの概略構成図である。
【図５】本発明の実施の形態１に係る、スクリーン印刷版管理システムの記憶装置における概略データ構造図である。
【図６】本発明の実施の形態１に係る、スクリーン印刷版管理システムの動作を示すタイミングチャートである。
【図７】本発明の実施の形態２に係る、スクリーン印刷版管理装置の概略正面図である。
【図８】本発明の実施の形態２に係る、スクリーン印刷版管理装置の概略の使用形態図である。
【発明を実施するための形態】
【００１４】
本発明の実施の形態について、添付の図面を参照しながら説明する。なお、図面において、図面中の各部の構成の大きさ、間隔、数、その他詳細は、視認と理解の助けのために、実際の物から大幅に簡略化・省略化して表現している。
【００１５】
実施の形態１
図１は、本実施の形態１に係る、スクリーン印刷版管理装置１の概略構成ブロック図であり、図２は、スクリーン印刷版管理装置１の概略外観図、図３は、スクリーン印刷版管理装置１の概略の使用形態図である。スクリーン印刷版管理装置１は、二次元コードを読取るための読取部１１と、スクリーン印刷版２１上におけるスキージＳＱの滑動を光学的・磁気的信号により検知するための検知部１２と、外部通信機器と電気的通信をするための通信部１３と、所定の情報を表示するための表示部１４と、読取部１１で読み取った画像及び検知部１２で取得した信号を処理して、二次元コードに係る情報及びスクリーン印刷版の印刷回数を計測する処理手段１５１と、処理手段１５１で処理した結果を電気的に記憶する記憶手段１５２と、を有する制御部１５と、制御部１５を操作するためのスイッチ類１６が、筐体にその一部または全部が内蔵されており、筐体の外部には、金属枠Ｆへ固定するための接続部１７が備えられている。また、送信手段１５３と通信自在に接続された通信用コードＣと、電源部に電気的に接続された、電源用コーＰＳが外部に伸びている。なお、本装置の動力は、電源部より供給されるが、本実施の形態１では、外部電源からコードＰＳを通じて供給される電力を使用している。
【００１６】
読取部１１は、いわゆる二次元コードリーダーであり、二次元コードのパターンを撮影、解析することで、そこにコード化された情報を読み取るためのものであり、スクリーン印刷版管理装置１に内蔵されている。本実施の形態１では、例えば、スクリーン印刷版２１の金属枠Ｆに形成され、スクリーン印刷版２１の識別記号、仕様、製造情報（以下「スクリーン印刷版情報」という）が記録された二次元コードを読み取る。
【００１７】
検知部１２は、発光部１２１から出た光を、光センサである受光部１２２で受け、その光量を測定する装置であり、検知部の前を物体が通った時の光量の変化により、物体が通った回数を計測する。本実施の形態１では、検知部１２はスクリーン印刷版管理装置１に内蔵され、受光部１２２は可視光センサを使用しており、連続印刷プロセスにおいて、スキージＳＱがスクリーン印刷版管理装置１の前を通り、発光部１２１から発せられた光ＬＥが反射等することで、受光部１２２で感受される光ＬＲの光量が変化するので、スキージＳＱの滑動回数（印刷回数）を計測する。
【００１８】
通信部１３は、インターネットＮＷを介して、データサーバＤＢとスクリーン印刷版情報やスキージＳＱの印刷回数といった制御部１５で解析された情報を送受信するための装置であり、本実施の形態１では有線ＬＡＮ装置を用いている。
【００１９】
表示部１４は、制御部１５で解析された情報を表示するものであり、液晶表示器が使用される。表示部には、例えば読取部１１で二次元コードから取得したスクリーン印刷版情報や、検知部１２で計測した印刷回数が表示される。表示する内容の切り替えは、後述するスイッチ類１６を操作することで行われる。
【００２０】
制御部１５は、処理手段１５１、記憶手段１５２から構成される。処理手段１５１は、コンピュータにおけるＣＰＵに代表されるプロセッサであり、読取部１１で読み取った画像及びと検知部１２で取得した信号を解析して、二次元コードに係る情報及びスクリーン印刷版の印刷回数を計測する。
【００２１】
記憶手段１５２は、コンピュータにおける主記憶装置と補助記憶装置からなる記憶媒体であり、主記憶装置にはＳＲＡＭが、補助記憶装置はＳＤメモリーカードに代表されるフラッシュメモリーが使用されており、処理手段１５１で解析した結果を記憶する。
【００２２】
スイッチ類１６は、制御部１５を操作して、スクリーン印刷版管理装置１の機能を選択・実行する設備であり、電源スイッチ、機能選択ボタン、決定ボタン、キャンセルボタン、通信ボタン等から構成されている。本実施の形態１では、スイッチ類１６は押しボタン式スイッチを使用している。
【００２３】
接続部１７は、スクリーン印刷版管理装置１を金属枠Ｆに固定するための設備であり、スクリーン印刷版管理装置１の底面の、本体を設置する向きと同じ方向の１対の辺に２個取り付けられている。接続部１７を金属枠Ｆに嵌め込み、取付用ネジ１７１を金属枠Ｆに締付けて、スクリーン印刷版管理装置１を固定する。
【００２４】
次に、スクリーン印刷版管理システム２の構成について図４に基づいて説明をする。
スクリーン印刷版管理システム２は、連続印刷プロセスにおいて、スクリーン印刷版２１の使用状況と保管状況を管理するためのシステムであり、スクリーン印刷版２１と、印刷機２２、スキージＳＱ、導電性ペースト等のスクリーン印刷に供される印刷設備Ｐと、スクリーン印刷版管理装置１と、スクリーン印刷版管理装置１とインターネットＮＷを介して通信自在に接続され、データの送受信・記憶をするデータサーバ（記憶装置）ＤＢと、スクリーン印刷版管理装置１及びデータサーバＤＢとインターネットＮＷを介して通信自在に接続され、情報機器としての機能を有しこれを実行する電子端末２３と、スクリーン印刷版２１を保管する設備である保管棚（保管設備）２４から構成されている。
【００２５】
スクリーン印刷版２１は、孔版ＳＴが、スクリーンを介して金属枠Ｆに張設されたものであり、本実施の形態１では、孔版ＳＴにはＳＵＳ３０４製のメタルマスクが、スクリーンにはポリエステルメッシュが、金属枠Ｆには中空のアルミ枠が用いられる。金属枠Ｆには、スクリーン印刷版情報が記録された、第一の二次元コードＱ１が形成されたラベルが貼付されている。
【００２６】
印刷機２２は、主に、スクリーン印刷版２１を保持するホルダ２２１と、ホルダ２２１にスクリーン印刷版２１を固定するクランプ２２２と、はんだペーストが印刷される基板を搬送するためのコンベア２２３から構成される。ホルダ２２１には、その識別番号、設置場所（以下「印刷機情報」という。）が記録された第二の二次元コードＱ２が形成されたラベルが貼付されている。印刷機２２は、印刷開始からの合計印刷回数が印刷開始前に設定された印刷回数に達した場合には、自動的に運転を停止する自動停止機能を有している。
【００２７】
電子端末２３は、スマートフォンやパソコンのような、通信機能と入出力機能及び情報処理・記憶機能を有する情報機器であり、インターネットＮＷを介してデータサーバＤＢと情報のやり取りをする。電子端末２３は、データサーバＤＢに記憶された情報を閲覧するとともに、データサーバＤＢに、印刷条件（スキージ速度、スキージ圧、版離れ速度、スクリーン印刷版２１と印刷基板との距離、印刷回数等の、主に印刷機２２の設定に関する条件をいう。以下同じ。）を初め、スキージＳＱの仕様、はんだペーストの型番や仕様などの印刷に関連する情報（以下「印刷関連情報」という。）を入力し、記憶させる。また、印刷の状況に応じてスクリーン印刷版管理装置１から送信される情報を受信し、表示をして使用者に告知する機能と役割を有する。
【００２８】
保管棚２４は、スクリーン印刷版２１を、金属枠Ｆを縦にした状態で数台収納できる棚であり、収納スペースごとに間仕切り２４１と、保管棚２４とそれにおける保管位置ごとに、その保管棚の識別番号・それにおける保管位置の識別記号（以下「保管情報」という。）が記録された第三の二次元コードＱ３が形成されたラベルが貼付されている。
【００２９】
データサーバＤＢは、スクリーン印刷版管理装置１または電子端末２３からインターネットＮＷを介して受け取ったスクリーン印刷版情報、印刷機情報、印刷関連情報及び保管情報、さらにスクリーン印刷版管理装置１から所定の時間間隔で送信される印刷状況情報が、図５のように、関連付けられて記憶されている情報設備である。また、データサーバＤＢは、電子端末２３からの要請に応じて、そこに記憶されている情報を、電子端末２３に送信して、その画面に表示させる。さらに、印刷状況情報を解析して、運転が正常に行われているかどうか、又は現在の印刷回数が設定された印刷回数に達しているかどうかを判断する運転状況確認機能も有する。さらに、システムの異常終了発生時や、設定印刷回数達成時には、電子端末２３に通知を送る機能を有する。
【００３０】
次に、本発明の実施の形態１に係るスクリーン印刷版管理システム２の動作について、図６に基づいて説明をする。
【００３１】
先ず、スクリーン印刷版管理装置１のスイッチ類１６で機能選択を行い、スクリーン印刷版情報を取得するモードにして、読取部１１で、スクリーン印刷版２１の金属枠Ｆに形成されている第一の二次元コードＱ１を読み取り、制御部１５で解析することにより、スクリーン印刷版情報を取得し（ステップＳ１）、表示部１４に表示する（ステップＳ２）。
【００３２】
スクリーン印刷版情報は、インターネットＮＷを介して、データサーバＤＢに送信され（ステップＳ３）、記憶される（ステップＳ４）。
【００３３】
次に、スクリーン印刷版管理装置１のスイッチ類１６で、機能選択を行い、印刷に供する印刷機情報を取得するモードに設定して、読取部１１で、印刷機２２に形成されている第二の二次元コードＱ２を読み取り、制御部１５で解析することにより、印刷機情報を取得し（ステップＳ５）、表示部１４に表示する（ステップＳ６）。このとき、直前にステップＳ１で取得したスクリーン印刷版情報と、ステップＳ５で取得した印刷機情報が関連付けられる。
【００３４】
取得した印刷機情報を、インターネットＮＷを介してデータサーバＤＢに送信すると（ステップＳ７）、印刷機情報は、スクリーン印刷版情報に関連付けられて、データサーバＤＢに記憶される（ステップＳ８）。
【００３５】
電子端末２３に、印刷条件等の印刷関連情報を入力して、データサーバＤＢに送信し（ステップＳ９、Ｓ１０）、データサーバＤＢはこれを記憶する（ステップＳ１１）。
【００３６】
スクリーン印刷版２１を、クランプ２２２を使用して印刷機２２に適正に設置し、印刷機２２の印刷条件やスキージ仕様などを、印刷関連情報に従って設定して連続印刷を開始する。ここで、印刷機関連情報は、ステップＳ９で入力・送信に使用した電子端末２３からはもちろん、それ以外の電子端末２３からでも、データサーバＤＢにアクセスすることで閲覧が可能である。
【００３７】
スクリーン印刷版管理装置１は、スキージＳＱが滑動して検知部１２の前を通る度に（すなわち、印刷を行う度）連続印刷開始時からの印刷回数を１回加算し、合計印刷回数、所定時間毎の印刷回数、印刷１回の所要時間といった、印刷状況に関する情報（印刷状況情報）として取得し（ステップＳ１２）、データサーバＤＢに送信し（ステップＳ１３）、データサーバＤＢはこれを記憶する（ステップＳ１４）。
【００３８】
印刷状況情報は、所定のタイミング（電子端末２３からの要求及び一定時間毎）で電子端末２３に送信され（ステップＳ１５）、電子端末２３に表示される（ステップＳ１６）。
【００３９】
データサーバＤＢは、印刷状況情報に含まれる連続印刷開始時から現時点までの印刷回数の合計（以下「合計印刷回数」という。）と、連続印刷開始前に設定された印刷回数（以下「設定印刷回数」という。）を比較し、前者が後者に達していなければ、印刷機２２の運転状況を確認する（ステップＳ１７、Ｓ１８）。運転状況の確認は、印刷設備Ｐに不具合が発生したことにより、印刷機２２の運転が停止し、前回確認時より印刷回数が増加していない場合、または印刷１回の所要時間が、直前の印刷１回の所要時間又は連続印刷開始時からの印刷１回の所要時間の平均より一定以上短いまたは長い場合には、異常ありと判断し、異常情報として電子端末２３に通知をする（ステップＳ１９）。異常情報を受信した電子端末２３は、これを表示する（ステップＳ２０）。また、データサーバＤＢは異常方法を送信した後、スクリーン印刷版管理システム２を終了させ、これを示す終了情報を電子端末２３に送信し（ステップＳ２１）、電子端末２３はこれを表示する（ステップＳ２２）。一方、運転状況確認で異常なしと判断された場合には、連続印刷が継続されるので、スクリーン印刷版管理装置１は、引き続き印刷状況情報をデータサーバＤＢに継続的に送り続け、スクリーン印刷版管理システム２は、合計印刷回数が、連続印刷開始前に設定された印刷回数に達するまでステップＳ１２〜Ｓ１８を繰り返す。
【００４０】
データサーバＤＢは、合計印刷回数が、設定印刷回数に達している場合には、印刷機２２においては運転が停止されており、データサーバＤＢは、連続印刷が終了したことを示す終了情報を電子端末２３に送り（ステップＳ２１）、電子端末２３にはこれが自動的に表示されると同時に、データサーバＤＢにこのことが記憶される（ステップＳ２２、Ｓ２３）。
【００４１】
次に、印刷機２２からスクリーン印刷版２１を取り外して、保管棚２４に収納する。先ず、保管棚２４における保管位置に形成されている第三の二次元コードＱ３を、読取部１１で読み取り、保管情報を取得する。この際、印刷機情報を取得したときと同様に、スクリーン印刷版管理装置１のスイッチ類１６で、機能選択を行い、保管情報を取得するモードに設定して、読取部１１で、保管棚２４に形成されている第三の二次元コードＱ３を読み取り、制御部１５で解析することにより、保管情報を取得し（ステップＳ２４）、表示部１４に表示する（ステップＳ２５）。
【００４２】
この際、保管棚２４とスクリーン印刷版２１が関連付けられるように、第三の二次元コードＱ３の読取時に、保管情報取得の機能を選択すると、先ずデータサーバＤＢにアクセスして、そこに記憶されている、保管するスクリーン印刷版情報の選択をする。選択をすると、第三の二次元コードＱ３が読取可能な状態になるので、読取部１１でこれを読取り保管情報を取得し、インターネットＮＷを介してデータサーバＤＢに送信すると（ステップＳ２６）、保管情報は、スクリーン印刷版情報に関連付けられて、データサーバＤＢに記憶される（ステップＳ２７）。
【００４３】
保管情報は、電子端末２３から、データサーバＤＢにアクセスすることで、随時閲覧ができる。データサーバＤＢは、保管情報を受領後、電子端末２３に終了情報を送信し（ステップＳ２８）、電子端末２３はこれを表示する（Ｓ２８）。
【００４４】
本実施の形態１の発明によれば、使用者の電子端末２３に、スクリーン印刷版管理装置１からネットワークＮＷとデータサーバＤＢを介して、所定のタイミングで印刷中のスクリーン印刷版２１の印刷に関する情報が送られてくるので、使用者は随時印刷状況を確認することができ、効率的な工程管理が可能となる。また、データサーバＤＢには過去の印刷に関する情報が印刷状況情報として記憶されているので、印刷履歴、累計の印刷回数及び推定の残り印刷可能回数等を知ることが可能となり、工程管理、品質の安定、コスト削減、及び作業効率の向上が可能となる。
【００４５】
また、使用者の電子端末２３に、スクリーン印刷版管理装置１からネットワークＮＷとデータサーバＤＢを介して、保管棚２４に関する情報が送られてくるので、使用者はどの保管棚２４のどの位置を使用しているかを即座に知ることが可能となる。また、データサーバＤＢには、保管棚２４と保管位置に関する情報が保管情報として記憶されており、次回スクリーン印刷版２１を使用するときに容易に検索することができるので、工程の効率化が可能となり、さらに工程管理、品質の安定、コスト削減、及び作業効率の向上が可能となる。
【００４６】
さらに、使用者の電子端末２３に、スクリーン印刷版管理装置１からネットワークＮＷとデータサーバＤＢを介して、印刷機２２に関する情報が印刷機情報として送られてくるので、使用者はどの印刷機２２を使用しているかを知ることが可能となる。また、連続印刷中にスクリーン印刷版２１の印刷に関する情報が印刷状況情報として使用者に送られる際に、使用中の印刷機２２と関連して情報が届けられるので、より効率的な工程管理が可能となり、さらに品質の安定、コスト削減、及び作業効率の向上が可能となる。
【００４７】
実施の形態２
図７、８は、本発明の実施の形態２に係る、スクリーン印刷版管理装置３の概略の正面図と使用形態図である。ここで、本実施の形態２の実施の形態１との主な相違点は、ひずみ計測手段３１が追加されたことであるので、これを中心に説明をする。その他、実施の形態１と同様の構成は、図面の符号と説明を省略する。
【００４８】
ひずみ計測手段３１は、ひずみゲージ３１１と、ひずみゲージ３１１に電気的に接続されたケーブル状の配線３１２と、配線３１２の反ひずみゲージ側の端に電気的に接続された着脱手段３１３を有する。
【００４９】
ひずみゲージ３１１は、物体のひずみを電気信号に変えて測定するセンサである。外部からかけられた応力により、ひずみゲージ３１１が変形すると、それに伴い変化する電気抵抗から、ひずみの量を測定する。また、配線３１２は、ひずみゲージ３１１の電気抵抗の変化を電気的な信号としてスクリーン印刷版管理装置３に送るためのものであり、二本接続している。また、着脱手段３１３は、バナナプラグが使用されている。一方、スクリーン印刷版管理装置３には当該バナナプラグと篏合するターミナルが設けられており、着脱自在となっている。
【００５０】
また、本発明の実施の形態２に係るスクリーン印刷版管理システム４の構成と動作は、実施の形態１に係るスクリーン印刷版管理システム１と、スクリーン印刷版管理装置３以外については同一であるので、図面を略し、以下は相違点を中心に説明をする。
【００５１】
先ず、構成については、ひずみ計測手段３１は、着脱手段３１３により、電気的に着脱自在に制御部１５に接続される。一方、ひずみゲージ３１１は、スクリーン印刷版２１の孔版ＳＴのスキージＳＱが滑動する面の、滑動エリア外に設置されている。
【００５２】
一方、処理手段１５１は、ひずみ計測手段３１より送られた電気的信号を解析して、スクリーン印刷版２１の孔版ＳＴのひずみデータを取得する。
【００５３】
また、動作については、印刷状況情報として、印刷回数のデータと供に、データサーバＤＢへの送信と記憶がされ（ステップＳ１２〜Ｓ１４）、電子端末２３への送信と表示が行われる（ステップＳ１５、Ｓ１６）。
【００５４】
本実施の形態２の発明によれば、使用者の電子端末２３に、スクリーン印刷版管理装置３からネットワークＮＷとデータサーバＤＢを介して、所定のタイミングでスクリーン印刷版２１の孔版ＳＴのひずみに係る情報が、送られてくるので、使用者は随時スクリーン印刷版２１の張力の変化を知ることができるので、孔版ＳＴが印刷中に損壊や枠から剥離したような場合に即座に知ることが可能となる。また、データサーバＤＢには、過去のひずみ計測に関する情報が記憶されているので、張力の変化履歴、推定の残り印刷可能回数等を知ることが可能となり、さらに印刷品質の向上が可能となり、さらに品質の安定、コスト削減、及び作業効率の向上が可能となる。
【００５５】
また、使用者の電子端末２３に、スクリーン印刷版管理装置３からネットワークＮＷとデータサーバＤＢを介して、印刷機２２に関する情報が送られてくるので、使用者はどの印刷機を使用しているかを知ることが可能となる。また、印刷中にスクリーン印刷版２１の印刷に関する情報やひずみ計測に関する情報が印刷状況情報として使用者に送られる際に、使用中の印刷機２２と関連して情報が届けられるので、より効率的な工程管理が可能となり、さらに品質の安定、コスト削減、及び作業効率の向上が可能となる。
【００５６】
以上、本発明の実施の形態１、２について説明したが、本願発明の範囲は以上の実施の形態に限られるものではなく、これと同視しうる他の形態に対しても及ぶ。
【００５７】
例えば、印刷している様子を、Ｗｅｂカメラで撮影し、インターネットＮＷを介して、電子端末２３に送信して、閲覧できるようにすれば、印刷中の事故や異変に即座に対応することが可能となる。
【００５８】
また、スクリーン印刷版管理装置１、スクリーン印刷版２１、印刷設備Ｐ、電子端末２３、保管棚２４、データサーバＤＢは、一組のスクリーン印刷版管理システム２に対して、一台に限られず、複数台備えられてもよい。ここで、データサーバＤＢが複数台備えられている場合、データサーバＤＢ間でデータを分散することで、一台のデータサーバＤＢの負担を減らすことができるし、一方、一部または全部を共有することで、不測の事態の差異にもデータの消失の危険性を抑制することが可能となる。
【００５９】
また、印刷開始前に設定した印刷条件や、ひずみ計測に関する情報から取得した孔版ＳＴにかかる張力の変化履歴から推定した、スクリーン印刷版２１の耐用印刷回数等のデータを二次元コード化し、同じ仕様のスクリーン印刷版２１を再度作製するときに第一の二次元コードとしてこれを読み取ることで、スクリーン印刷版情報と同時に印刷条件や耐用印刷回数の情報も取得することが可能となる。これにより、印刷中に推定の残り耐用印刷回数の情報を得られるので、印刷中のスクリーン印刷版の破損や劣化による事故や印刷性の低下を抑制することができる。
【００６０】
また、印刷が終了し、印刷終了後一定時間（例えば１時間）以内に、保管情報がデータサーバＤＢに送信されない場合に、全ての電子端末２３に保管情報が未登録であることの通知がされるようにすることで、スクリーン印刷版２１の適正な収納を促進し、収納忘れによる工程効率の低下や、紛失のような不測の事故を抑制することが可能となる。
【００６１】
また、通信部１３は有線ＬＡＮ装置を用いたが、無線ＬＡＮ装置を用いてもよい。
【００６２】
さらに、二次元コードは、これを形成したラベルを、金属枠Ｆ、印刷機２２、保管棚２４に貼付するだけでなく、直接これらに描画してもよい。
【符号の説明】
【００６３】
１、３                  スクリーン印刷版管理装置
１１                    読取部
１２                    検知部
１３                    通信部
１４                    表示部
１５                    制御部
１５１                  処理機能
１５２                  記憶機能
１６                    スイッチ類
１７                    接続部
２                      スクリーン印刷版管理システム
２１                    スクリーン印刷版
２２                    印刷機
２３                    電子端末
２４                    保管棚（保管設備）
３１                    ひずみ計測手段
３１１                  ひずみゲージ
３１２                  配線
３１３                  接続手段
Ｆ                      金属枠
Ｑ１                    第一の二次元コード
Ｑ２                    第二の二次元コード
Ｑ３                    第三の二次元コード
ＤＢ                    データサーバ（記憶手段）
ＮＷ                    ネットワーク
Ｐ                      印刷設備
ＳＴ                    孔版
ＳＱ                    スキージ
【図１】
2020028998.tif 000003
【図２】
2020028998.tif 000004
【図３】
2020028998.tif 000005
【図４】
2020028998.tif 000006
【図５】
2020028998.tif 000007
【図６】
2020028998.tif 000008
【図７】
2020028998.tif 000009
【図８】
2020028998.tif 000010
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
電子部品の製造や実装工程において、はんだ等の導電性ペーストの印刷に用いられるスクリーン印刷版の保管と使用を管理するための装置であって、
二次元コードを読取るための読取部と、
前記スクリーン印刷版上におけるスキージの滑動を光学的・磁気的信号により検知するための検知部と、
外部通信機器と電気的通信をするための通信部と、
所定の情報を電気的に表示するための表示部と、
前記読取部で読み取った画像及び前記検知部で取得した信号を処理して、前記二次元コードに係る情報及び前記スクリーン印刷版の印刷回数を取得する処理手段と、前記処理手段で処理した結果を電気的に記憶する記憶手段と、を有する制御部と、
前記制御部を操作するためのスイッチ類と、
前記スクリーン印刷版の金属枠に固定するための接続部と、を備え、
前記検知部は、発光部と受光部を備え、前記スキージが前を通り、前記発光部から発せられた光が反射等することで、前記受光部で感受される光の光量が変化することにより前記スキージが通った回数を計測し、
前記接続部は取付用ネジを有し、該取付用ネジを前記金属枠に締付けて固定する、
ことを特徴とする、スクリーン印刷版管理装置。
【請求項２】
ひずみゲージと、前記ひずみゲージに電気的に接続されたケーブル状の一対の配線と、前記配線の反ひずみゲージ側の端に電気的に接続された着脱手段と、を有するひずみ計測手段を備え、
前記ひずみ計測手段は、前記着脱手段により、電気的に着脱自在に前記制御部に接続され、
前記処理手段は、前記ひずみ計測手段より送られた電気的信号から、前記孔版のひずみデータを計測する、
ことを特徴とする、請求項１に記載のスクリーン印刷版管理装置。
【請求項３】
電子部品の製造や実装工程において、はんだ等の導電性ペーストの印刷に用いられるスクリーン印刷版の保管と使用を管理するシステムであって、
金属枠に孔版がスクリーンを介して張設されたスクリーン印刷版と、
前記金属枠に形成され、前記スクリーン印刷版の識別記号、仕様、製造情報が記録された、第一の二次元コードと、
印刷機、スキージ、導電性ペースト等のスクリーン印刷に供される印刷設備と、
請求項１に記載のスクリーン印刷版管理装置と、
前記スクリーン印刷版管理装置と通信自在に接続され、データの送受信・記憶をする記憶装置と、
前記スクリーン印刷版管理装置及び前記記憶装置と、通信自在に接続され、情報処理、表示及び通信、変更及び保存を行う電子端末と、を備え、
前記スクリーン印刷版管理装置は、前記印刷回数のデータを前記記憶装置に所定のタイミングで送信し、
前記記憶装置は、前記スクリーン印刷版管理装置から受信し、記憶した情報のうち、合計印刷回数が設定印刷回数に達していない場合は、前記印刷機の運転状況を確認して、前回確認時より合計印刷回数が増加していない場合、または印刷１回の所要時間が、直前の印刷１回の所要時間又は連続印刷開始時からの印刷１回の所要時間の平均より一定以上短いまたは長い場合には、異常ありと判断し、異常情報として前記電子端末に通知をし、合計印刷回数が、設定印刷回数に達している場合には、連続印刷が終了したことを示す終了情報を、前記電子端末に送信し、
前記電子端末は、前記記憶装置から受信した情報を表示する、
ことを特徴とする、スクリーン印刷版管理システム。
【請求項４】
電子部品の製造や実装工程において、はんだ等の導電性ペーストの印刷に用いられるスクリーン印刷版の保管と使用を管理するシステムであって、
金属枠に孔版がスクリーンを介して張設されたスクリーン印刷版と、
前記金属枠に形成され、前記スクリーン印刷版の識別記号、仕様、製造情報が記録された、第一の二次元コードと、
印刷機、スキージ、導電性ペースト等のスクリーン印刷に供される印刷設備と、
請求項２に記載のスクリーン印刷版管理装置と、
前記スクリーン印刷版管理装置と通信自在に接続され、データの送受信・記憶をする記憶装置と、
前記スクリーン印刷版管理装置及び前記記憶装置と、通信自在に接続され、情報処理、表示及び通信、変更及び保存を行う電子端末と、を備え、
前記ひずみゲージは、前記孔版のスキージ面の、スキージ滑動範囲外に設置され、
前記スクリーン印刷版管理装置は、前記印刷回数のデータ及び前記ひずみデータを前記記憶装置にそれぞれ所定のタイミングで送信し、
前記記憶装置は、前記スクリーン印刷版管理装置から受信し、記憶した情報のうち、合計印刷回数が設定印刷回数に達していない場合は、前記印刷機の運転状況を確認して、前回確認時より合計印刷回数が増加していない場合、または印刷１回の所要時間が、直前の印刷１回の所要時間又は連続印刷開始時からの印刷１回の所要時間の平均より一定以上短いまたは長い場合には、異常ありと判断し、異常情報として前記電子端末に通知をし、合計印刷回数が、設定印刷回数に達している場合には、連続印刷が終了したことを示す終了情報を、前記電子端末に送信し、
前記電子端末は、前記記憶装置から受信した情報を表示する、
ことを特徴とする、スクリーン印刷版管理システム。
【請求項５】
前記印刷機に形成され、その識別番号、設置場所が記録された第二の二次元コードを備え、
前記スクリーン印刷版管理装置は、前記第二の二次元コードを読み取り、
前記印刷機の識別番号、設置場所に係る情報を、前記記憶装置に送信する、
ことを特徴とする、請求項３または４のいずれか１項に記載のスクリーン印刷版管理システム。
【請求項６】
前記スクリーン印刷版を保管する設備であって、該設備・該設備における保管位置ごとに、該設備の識別番号・該設備における保管位置の識別記号が記録された第三の二次元コードが形成された、保管設備を備え、
前記スクリーン印刷版管理装置は、前記第三の二次元コードを読み取り、該設備の識別番号・該設備における保管位置の識別記号に係る情報を、前記記憶装置に送信し、前記記憶装置は、印刷終了後一定時間以内に、前記情報が送信されない場合は、全ての前記電子端末に前記情報が未登録であることの通知をする、
ことを特徴とする、請求項３から５の何れか１項に記載のスクリーン印刷版管理システム。
【手続補正２】
【補正対象書類名】明細書
【補正対象項目名】０００８
【補正方法】変更
【補正の内容】
【０００８】
上記の目的を達成するために、請求項１に記載の発明は、電子部品の製造や実装工程において、はんだ等の導電性ペーストの印刷に用いられるスクリーン印刷版の保管と使用を管理するための、スクリーン印刷版管理装置であって、二次元コードを読取るための読取部と、前記スクリーン印刷版上におけるスキージの滑動を光学的・磁気的信号により検知するための検知部と、外部通信機器と電気的通信をするための通信部と、所定の情報を電気的に表示するための表示部と、前記読取部と前記検知部を作動させるとともに、前記読取部で読み取った画像及び前記検知部で取得した信号を処理して、前記二次元コードに係る情報及び前記スクリーン印刷版の印刷回数を計測する処理手段と、前記処理手段で処理した結果を電気的に記憶する記憶手段と、を有する制御部と、前記制御部を操作するためのスイッチ類と、前記スクリーン印刷版の金属枠に固定するための接続部と、を備え、前記検知部は、発光部と受光部を備え、前記スキージが前を通り、前記発光部から発せられた光が反射等することで、前記受光部で感受される光の光量が変化することにより前記スキージが通った回数を計測し、前記接続部は取付用ネジを有し、該取付用ネジを前記金属枠に締付けて固定する、ことを特徴とする。
請求項２に記載の発明は、請求項１に記載のスクリーン印刷版管理装置であって、ひずみゲージと、前記ひずみゲージに電気的に接続されたケーブル状の一対の配線と、前記配線の反ひずみゲージ側の端に電気的に接続された着脱手段と、を有するひずみ計測手段を備え、前記ひずみ計測手段は、前記着脱手段により、電気的に着脱自在に前記制御部に接続され、前記処理手段は、前記ひずみ計測手段より送られた電気的信号から、前記孔版のひずみデータを計測する、ことを特徴とする。
請求項３に記載の発明は、電子部品の製造や実装工程において、はんだ等の導電性ペーストの印刷に用いられるスクリーン印刷版の保管と使用を管理するシステムであって、金属枠に孔版がスクリーンを介して張設されたスクリーン印刷版と、前記金属枠に形成され、前記スクリーン印刷版の識別記号、仕様、製造情報が記録された、第一の二次元コードと、印刷機、スキージ、導電性ペースト等のスクリーン印刷に供される印刷設備と、請求項１に記載のスクリーン印刷版管理装置と、前記スクリーン印刷版管理装置と通信自在に接続され、データの送受信・記憶をする記憶装置と、前記スクリーン印刷版管理装置及び前記記憶装置と、通信自在に接続され、情報処理、表示及び通信、変更及び保存を行う電子端末と、を備え、前記スクリーン印刷版管理装置は、前記印刷回数のデータを前記記憶装置に所定のタイミングで送信し、前記記憶装置は、前記スクリーン印刷版管理装置から受信し、記憶した情報のうち、合計印刷回数が設定印刷回数に達していない場合は、前記印刷機の運転状況を確認して、前回確認時より合計印刷回数が増加していない場合、または印刷１回の所要時間が、直前の印刷１回の所要時間又は連続印刷開始時からの印刷１回の所要時間の平均より一定以上短いまたは長い場合には、異常ありと判断し、異常情報として前記電子端末に通知をし、合計印刷回数が、設定印刷回数に達している場合には、連続印刷が終了したことを示す終了情報を、前記電子端末に送信し、前記電子端末は、前記記憶装置から受信した情報を表示する、ことを特徴とする。
請求項４に記載の発明は、電子部品の製造や実装工程において、はんだ等の導電性ペーストの印刷に用いられるスクリーン印刷版の保管と使用を管理するシステムであって、金属枠に孔版がスクリーンを介して張設されたスクリーン印刷版と、前記金属枠に形成され、前記スクリーン印刷版の識別記号、仕様、製造情報が記録された、第一の二次元コードと、印刷機、スキージ、導電性ペースト等のスクリーン印刷に供される印刷設備と、請求項２に記載のスクリーン印刷版管理装置と、前記スクリーン印刷版管理装置と通信自在に接続され、データの送受信・記憶をする記憶装置と、前記スクリーン印刷版管理装置及び前記記憶装置と、通信自在に接続され、情報処理、表示及び通信、変更及び保存を行う電子端末と、を備え、前記ひずみゲージは、前記孔版のスキージ面の、スキージ滑動範囲外に設置され、前記スクリーン印刷版管理装置は、前記印刷回数のデータ及び前記ひずみデータを前記記憶装置にそれぞれ所定のタイミングで送信し、前記記憶装置は、前記スクリーン印刷版管理装置から受信し、記憶した情報のうち、合計印刷回数が設定印刷回数に達していない場合は、前記印刷機の運転状況を確認して、前回確認時より合計印刷回数が増加していない場合、または印刷１回の所要時間が、直前の印刷１回の所要時間又は連続印刷開始時からの印刷１回の所要時間の平均より一定以上短いまたは長い場合には、異常ありと判断し、異常情報として前記電子端末に通知をし、合計印刷回数が、設定印刷回数に達している場合には、連続印刷が終了したことを示す終了情報を、前記電子端末は、前記記憶装置から受信した情報を表示する、ことを特徴とする。
請求項５に記載の発明は、請求項３または４のいずれか１項に記載のスクリーン印刷版管理システムであって、前記印刷機に形成され、その識別番号、設置場所が記録された第二の二次元コードを備え、前記スクリーン印刷版管理装置は、前記第二の二次元コードを読み取り、前記印刷機の識別番号、設置場所に係る情報を、前記記憶装置に送信する、ことを特徴とする。
請求項６に記載の発明は、請求項３から５の何れか１項に記載のスクリーン印刷版管理システムであって、前記スクリーン印刷版を保管する設備であって、該設備・該設備における保管位置ごとに、該設備の識別番号・該設備における保管位置の識別記号が記録された第三の二次元コードが形成された、保管設備を備え、前記スクリーン印刷版管理装置は、前記第三の二次元コードを読み取り、該設備の識別番号・該設備における保管位置の識別記号に係る情報を、前記記憶装置に送信し、前記記憶装置は、印刷終了後一定時間以内に、前記情報が送信されない場合は、全ての前記電子端末に前記情報が未登録であることの通知をする、ことを特徴とする。